(57)【要約】【課題】編物の選別特定に際して発注者側の真に希望する編物の特定選別を確実かつ簡単にし、特に編物の形式的事項からでは判明しない編物特有の特質を一見して把握した上で、多数の編物の中から他の編物と比較しつつ真に希望する編物の受注を可能とする編物の区分け方法の提供を課題とする。【解決手段】多種類の編物の内から希望する特質を有する編物を選別特定するための編物の区分け方法であり、予め編物の有する特質の区分けを行い、各区分けに該当する特質の程度を数値化して、当該編物の特質の程度に該当する数値を選定し、この数値に基づいて編物を選別特定する編物の区分け方法によって解決できる。【選択図】    図１
2004360096.tif 000002
【特許請求の範囲】
【請求項１】
多種類の編物の内から希望する特質を有する編物を選別特定するための編物の区分け方法であって、
予め編物の有する特質の区分けを行い、各区分けに該当する特質の程度を数値化して、当該編物の特質の程度に該当する数値を選定し、
この数値に基づいて編物を選別特定することを特徴とする編物の区分け方法。
【請求項２】
多種類の編物の内から希望する特質を有する編物を選別特定するための編物の区分け方法であって、
予め編物の有する特質の内、編物を選別特定することに用いられる異なる特質を少なくとも３つ以上を抽出し、該異なる特質の程度を少なくとも三段階以上に分けて数値化し、
選別特定すべき多種類の編物についての前記各特質の程度を前記数値化した数値を付与し、
該抽出した各特質の数値に基づいて編物を選別特定することを特徴とする編物の区分け方法。
【請求項３】
数値化した数値に代え、ランク分けを行い、当該ランクを付与したことを特徴とする請求項１又は２のいずれかに記載の編物の区分け方法。
【請求項４】
請求項１乃至３のいずれかに記載の編物の区分け方法が、編物の見本の特質の区分けを行い、該特質の程度に応じて数値化した数値を付与することを特徴とする編物の区分け方法。
【請求項５】
請求項１乃至４のいずれかにより編物の各特質の程度に応じて数値化したそれぞれの数値を付与し、
該各特質と、その各特質の程度に応じた数値を編物の見本と共に明示することを特徴とする編地の見本帳。
【請求項６】
多種類の横付属のための編物の内から希望する特質を有する編物を選別特定するための横付属のための編地の見本帳であって、
予め編物の有する特質の内、編物を選別特定することに用いられる異なる特質のうちテンションに関する特質、ボリュームに関する特質、コストに関する特質、向アイテム性に関する特質、質感に関する特質の内のいずれか一以上を含む少なくとも３つ以上の特質を抽出し、該異なる特質の程度を少なくとも三段階以上に分けて数値化し、
少なくとも見本帳に掲載する多種類の横付属のための編物のそれぞれの各特質の程度に応じた数値を該編物毎に特定し、
見本帳に各編物の編地と特質と該特質の程度に応じた該編物の数値とを明示することを特徴とする請求項５記載の編地の見本帳。
【請求項７】
発注希望者端末  ６と、受注ウェブサイト  ７と、工場端末  ８と、横編編成機  ９と、横編機１０と、データベース１１とからなる編物の受注方法であって、
予め請求項１乃至請求項４のいずれかによる編物の特質の程度に応じて数値化した数値を付与し、
該数値を元に編物の特定を行い、該特定した編物を受注データとして発注希望者端末  ６に入力して受注ウェブサイト  ７に送信し、
該受信した受注ウェブサイト  ７は更に工場端末  ８に送信し、
該受信した工場端末  ８の受注データを横編みに必要なデータに変換し、このデータを横編編成機  ９に入力し、該入力データを元に横編みのための糸の特定及び／又は編み方の特定を行って横編み用データを作成し、該横編み用データを横編機１０に入力することにより受注データに沿った編物の製造を行うことを特徴とする編物の受注方法。
【請求項８】
編物に代え、織物を選別特定するための織物の特質を数値分けし、該特質に応じた数値を選定付与するものであることを特徴とする請求項１乃至４のいずれかに記載の織物の区分け方法。
【請求項９】
編物に代え、織物の各特質の程度に応じて数値化したそれぞれの数値を付与し、
該各特質と、その各特質の程度に応じた数値を織物の見本と共に明示することを特徴とする請求項５に記載の織地の見本帳。
【発明の詳細な説明】
【０００１】
【発明の属する技術分野】
本発明は、編物の選別特定のための区分け方法、編地の見本帳及び編物の受注方法、織物の区分け方法及び織地の見本帳に関し、より具体的には編物の複数乃至多数の特質を区分けし、その区分けした各特質を一定の基準に基づいて数値化し、この数値化した各特質の数値から希望の編物の選別特定する編物の区分け方法、編地の見本帳、編物の受注方法及び織物の区分け方法、見本帳に関する。
【０００２】
【従来の技術】
従来より、衣服、ネクタイ等或いは布製製品等に用いられる編物に関しては、その編地の選別特定を行い、その上で衣服、ネクタイ等を製造していたものである。
この編地の種類・特質によって製造される衣服やネクタイ等或いは布製製品等の出来具合が変動し、各種の特質を有する衣服やネクタイ等或いは布製製品等が製造されていた。
従って、製造前の段階での編地の選別特定は非常に重要であり、希望する製品を製造する上で希望の編地を特定することは非常に重要であった。
この場合、見本となる編地を見て、触って希望のものか否かを判別し、希望とは異なる場合には、言葉でもう少し薄手のものであるとか厚手のものであるとかの表現を用いて別の見本を取り寄せて順次希望の編地に近い物を選別特定していたものである。
又、一度用いた編地に近い性質の編地を次回に用いる場合に、再度同様の選別特定手段を経ることが必要である。
併せて織物に関しては、従来より一定の特質に関してのランク分けを行い、目安の一つとしているものもあるが、これは色及び糸の種類、織り方、目の詰まり程度等一般的に材質上及び製造工程での区分けから導かれるものによるランク分けであり、出来上がり製品の感覚における特質を多種類一度に明示しているものはなく、この織物に関しても織地を編地と同様に見本の手触りや見た目で判別し、順次多くの織地を取り寄せ又返品し特定しているものである。
【０００３】
【発明が解決しようとする課題】
従って、特に編地に関しての選別特定は極めて繁雑であるばかりでなく、希望の編地を相手に伝える事が難しく、希望とは若干異なる編地で妥協してしまう事が多々行われていた。
特に編地の風合や質感等を希望の風合や質感等を有する編地を特定する場合に、希望の具合を相手に伝える事は極めて難しいものであった。
この事から、製造の段階で本来的に必要な編地と異なる編地を用いなければならなくなる恐れがあると共に、自己の希望する編地が見付かるまで、各種の編地を取り寄せと返品を繰り返す事が必要となってしまう。
更に例えば生地見本に関しては、見本となる生地の切れが多数明示されているものもあるが、それぞれどのような特質を持っているかは目で見てかつ触って自ら判断しなければならず、小さい生地見本であるがゆえに自らの希望する編地を選別特定することは極めて困難であった。
【０００４】
即ち、目で見てかつ手で触った小さい生地見本から類推して最終製品の製造状態を類推することは困難が多く、最終製品が出来上がらないとその生地が最も適しているかどうかの判断も難しい場合が多いものであり、生地の選定のためにもっと本質的な生地の内容が一見して把握でき、他の種類の生地との差をより確実に判別できる何らかの手段が要求されていた。
又、織地に関してもほぼ同様な欠点を有していた。
即ち、織地に関しては、その織物の特質ではなく、糸の種類によるランク分けや、織りの糸取りの本数のランク分け、生地自体の重さからのランク分け、目の詰まり方のランク分け等がなされているが、これから最終製品として用いるための当該織物の特質自体を類推するしかなく、編物と同様の欠点を有していた。
【０００５】
この場合、編地は本来織地とは全く異なり、編み機の性質や編み具合即ちループの形状或いは大きさ等によっても全く特質の異なる編物が出来上がり、単に糸の種類や糸取りなどの形式的な事項が判明していても編物の特質が類推しづらく、最終製品として用いるための選定には、向かないものであることから、特に編物においては、何らかの最終製品のできあがりの具合を推定するための何等かの判別手段が要求されていた。
従って、自己の希望する編地を選別特定するための何らかの編物の区分け方法、編地の見本帳、編物の受注方法及び織物に関してもより確実なる判別特定を行うための何らかの区分け方法及び見本帳の提供が望まれていた。
【０００６】
【課題を解決するための手段】
本発明は上記課題を解決するものであり、まず請求項１に係る発明は、多種類の編物の内から希望する特質を有する編物を選別特定するための編物の区分け方法であって、予め編物の有する特質の区分けを行い、各区分けに該当する特質の程度を数値化して、当該編物の特質の程度に該当する数値を選定し、この数値に基づいて編物を選別特定する編物の区分け方法であり、係る発明によって上記課題を解決できる。
この他、請求項２に係る発明である多種類の編物の内から希望する特質を有する編物を選別特定するための編物の区分け方法であって、予め編物の有する特質の内、編物を選別特定することに用いられる異なる特質を少なくとも３つ以上を抽出し、該異なる特質の程度を少なくとも三段階以上に分けて数値化し、選別特定すべき多種類の編物についての前記各特質の程度を前記数値化した数値を付与し、該抽出した各特質の数値に基づいて編物を選別特定する編物の区分け方法を用いてもよい。
【０００７】
或いは請求項３に係る発明である前記各発明の数値化した数値に代え、ランク分けを行い、当該ランクを付与した編物の区分け方法を用いても同様に上記課題を解決できる。
更には、請求項４に係る発明である前記各発明編物の区分け方法が、編物の見本の特質の区分けを行い、該特質の程度に応じて数値化した数値を付与する編物の区分け方法であってもよい。
次に、請求項５に係る発明である前記各請求項記載の発明による方法により編物の各特質の程度に応じて数値化したそれぞれの数値を付与し、該各特質と、その各特質の程度に応じた数値を編物の見本と共に明示する編地の見本帳を用いる事により、一見して編物の選定特定を可能として極めて使い勝手のよいかつ特定の確実な見本帳の提供ができる。
【０００８】
この場合、特に請求項６に係る発明である多種類の横付属のための編物の内から希望する特質を有する編物を選別特定するための横付属のための編地の見本帳であって、予め編物の有する特質の内、編物を選別特定することに用いられる異なる特質のうちテンションに関する特質、ボリュームに関する特質、コストに関する特質、向アイテム性に関する特質、質感に関する特質の内のいずれか一以上を含む少なくとも３つ以上の特質を抽出し、該異なる特質の程度を少なくとも三段階以上に分けて数値化し、少なくとも見本帳に掲載する多種類の横付属のための編物のそれぞれの各特質の程度に応じた数値を該編物毎に特定し、見本帳に各編物の編地と特質と該特質の程度に応じた該編物の数値とを明示する編地の見本帳によって、横編みの横付属の見本帳として最適な見本帳の提供ができる。
【０００９】
この様な各方法及び見本帳により請求項７に係る発明のように発注希望者端末と、受注ウェブサイトと、工場端末と、横編編成機と、横編機と、データベースとからなる編物の受注方法であって、予め請求項１乃至請求項４のいずれかによる編物の特質の程度に応じて数値化した数値を付与し、該数値を元に編物の特定を行い、該特定した編物を受注データとして発注希望者端末に入力して受注ウェブサイトに送信し、該受信した受注ウェブサイトは更に工場端末に送信し、該受信した工場端末の受注データを横編みに必要なデータに変換し、このデータを横編編成機に入力し、該入力データを元に横編みのための糸の特定及び／又は編み方の特定を行って横編み用データを作成し、該横編み用データを横編機に入力することにより受注データに沿った編物の製造を行う編物の受注方法を採ることができ、正確かつ手間の係らない受注を受けられる。
尚、編物の他、請求項８に係る発明のように編物に代え、織物を選別特定するための織物の特質を数値分けし、該特質に応じた数値を選定付与するものである織物の区分け方法を用いたものであってもよい。
更には請求項９に係る発明のように編物に代え、織物の各特質の程度に応じて数値化したそれぞれの数値を付与し、該各特質と、その各特質の程度に応じた数値を織物の見本と共に明示する織地の見本帳を用いたものであってもよい。
【００１０】
【発明の実施の形態】
本発明にかかる基本的な一実施の形態は、編地等の有する特質をジャンル分けし、例えばテンション、ボリューム、コスト、向アイテム性、質感の五種類に区分けを行い、このそれぞれの特質を数値化して、見本となる編地の特質を数値で表示するものである。
前記の例中のテンションに関しては編地等の特質中の柔軟性に関し、ソフト乃至ハードの相違を数段階に分け、該当見本の柔軟性に関して数値を特定する。
例えば５段階に分けて、１はソフトで徐々にハードになるにつれ数値を上げ、最もハードな見本に関しては５の数値を付与する。
もとより、この五段階の区分けは任意であり、いかなる区分に分けるものであってもよい。
次にボリュームに関しては、編地等の薄さ厚さから生ずるボリューム感を数値化したものであり、例えば５段階に分けて、１は最も薄手で徐々に厚くなるにつれ数値を上げ、最も厚手の織地や編地等の見本に関しては５の数値を付与する。
【００１１】
更にコストに関しては、編地等の費用を数値化したものであり、例えば５段階に分けて、１は最も安価で徐々に高価になるにつれ数値を上げ、最も高価な織地や編地等の見本に関しては５の数値を付与する。
又、向アイテム性に関しては、カットソー向きの編地乃至布帛向きの編地の両者間の程度を数値化したものであり、例えば５段階に分けて、１は最もカットソー向きであり、ケージが上がり（例えば横編みの場合には１４Ｇや１６Ｇ等、丸編みの場合は２４Ｇや２８Ｇ等）、更に編みのループの大きさや形状等により最もカットソー向きの編物が該当し、ケージが下がり編みのループの大きさや形状等の内いずれかが又はこれら全てが変動することにより全体的に編物の特性が変動し、より布帛向きの編物になるにつれ、この数値を上げ、最も布帛向きの編物に関しては５の数値を付与する。
この他、質感に関しては、カジュアルな質感乃至ハイグレードな質感を数値化したものであり、例えば５段階に分けて、１は最もカジュアルで徐々にグレード感が増すにつれ数値を上げ、最もハイグレードな質感を有する編地等の見本に関しては５の数値を付与する。
【００１２】
従って、この特性５種類を５区分に数値分けによっても少なくとも３１２５種類の編地の区分ができ、特に衣服、ネクタイ等或いは布製製品等に用いられる編物の特定を数値を持って簡単に特定できると共に、希望の編地等の選別がしやすくなる。
従って、更に多くの特質や多区分の区分けをすることによって区分けした種類は極めて膨大な種類に区分けでき、真に必要な編物の選別特定を容易かつ確実に行うことを可能とする。
特に糸自体のランク種類分けや、糸取りなどの形式的な区分けでなく、最終製品としていかなるものとして用いられるか及びどのようなものであるかが一見してはっきりと分かり、生地の判別特定には極めて有用なものである。
更に一の編物の特定した後希望の編地と異なる場合には、その異なる特質の数値を希望の数値を有する編物に変更することも極めて容易である。
【００１３】
例えば、特質の種類を増やすことにより、更に選別の範囲を増やすことができ、又数値分けの段階を増やすことにより、微妙な相違をも数値で表せ、特定の編地の選別しやすくなる。
前記した特質のほか例えばサップル即ちしなやかさの程度、クリスプ即ちパリッとしているか否かの程度、ジャギー即ち毛羽立ちの程度、ヘアリー即ち毛足の長さの長短の程度、ライトウェイかヘビーウェイかの程度、シアーの程度、ラステック即ち素朴な風合か否かの程度、ラギット即ち凹凸感のある場合の凹凸感の程度、バルキー即ちかさ高の程度、ニート即ち品質よさの程度、シルキー即ちツヤの美しさの程度、ファンシー即ち面白みの度合いの程度、ドレープ即ち垂れ下がりの性質の程度、ストレッチ即ち収縮性の程度等を用いることにより、更に細かく編物等の特質を表すことができ、編物等の選別に際しては極めて効果的に特定できる。
尚、これらは一例としてあげたものであり、これらの表現や区分にとらわれるものではなく、このような編物等の特質から、編物等の選別特定に必要な特質を選んで、これらの特質を数値化して用いることにより、この数値化した特質の数値を特定することにより、必要とする編物等を選別特定できることとなる。
【００１４】
従って、この特質は単なる糸の種類や太さ等の形式的な事項をランク分けしたものではなく、生地自体から生まれる特別な性質及び最終製品として用いた場合の特別な性質等からなる特質の内から抽出したものであればよい。
これらのように編物等の選別特定のために、予め選別特定すべき編物等の有する複数乃至多数の特質を抽出し、この特質の状態を数値化して該当する数値を特定し、一の編物等の各特質に応じた数値を特定する。
これにより極めて多種類ある編物等を別人がこれらの編物等の中から自己の要求する編物等を選別する際にはこの数値化した特質から特定を可能とすることとなる。
即ち、選別すべき編物等の特質を考えて自己の要求する各特質の数値を選び、自己の要求する特質の各数値に該当する編物等を選別することにより、自己の要求する編物等を特定できるものとなる。
【００１５】
従って、単に編物等の見本を見ることにより選別特定する場合と比較して、極めて簡単迅速かつ的確に自己の要求する特質を有する編物等を選別特定でき、最終製品としての出来上がりを前提とした選別特定を可能とするものである。
更に極めて多数ある編物等の内から自己の要求する特質を有する見本のみを見比べる事もでき、極めて正確かつ簡単に自己の要求する編物等を多数の編物等の内から特定できる。
その上、例えば見本などを見なくとも、特質の数値を口頭で連絡することにより、自己の要求する特質を有する編物等の取り寄せ等も可能となる。
この場合従来では編物等の特質上、要求する特質の程度を言葉で表現することは極めて難しく、恣意的又は曖昧なものとなってしまっており、本質的に要求する特質の程度を相手に伝える事はほとんど不可能なものであった。
従って、この点においても極めて有用かつ画期的なものである。
尚、上記は数値分けして数値を付与することを前提として明示したがこれに拘束されるものではなく、ランク分けを行い、記号や符号等の数字以外を用いてランク分けのランクが判明するものを用いたものであってもよい。
【００１６】
以上のように編物を中心として説明したが、これは編物のみに止まらず、織物についても用いることが可能である。
特に織物に関しては形式的な事項の種類分けは従来よりなされているが、織物自体の最終製品として用いる際の生地自体の感覚的な特質に関しては、最終製品のみでしか判明しないことが極めて多い。
従って、織物に関しても感覚的な特質を複数乃至多数抽出し、これを数値分けして、その特質に応じた数値を付与することにより、極めて織物の選定の便宜に供することができることとなる。
図１は、前記の編物の選別特定のための区分け方法を用いた見本帳の一実施の状態を示す図であり、特に横付属のための編物の付いての見本と共に編物の特質を数値化し、更にその程度を図にして表示した見本帳の一例を示す図である。
【００１７】
本図に示すとおり、見本帳  １の台紙  ２に編地見本  ３を貼着し、その上面に覆部  ４で覆う見本帳  １であり、該覆部  ４には被せた下の編地見本  ３を透視可能な透明フィルム  ５をその中央に略正五角形状に有すると共に、覆部  ４にはその編物の特質を略正五角形状の透明フィルム  ５の各角部に表示し、更に略正五角形状の透明フィルム  ５上にはその内部方向に相似形にて数値化した表を明示している。
本図に示す場合には、該編物の特質としてテンション、ボリューム、コスト、向アイテム性、質感の五種類に関しての特質の数値化がなされ、この五種類の特質が明記されている。
又、この五種類の特質に付いて０乃至５の数値分けがなされ、その特質の程度を表示している。
本図に示す編物見本３についてはテンションの数値は３．５であり、質感に関しては３であり、向アイテムに関しては４であり、コストに関しては４であり、ボリュームに関しては３である。
【００１８】
テンションの数値は３．５であり、０が最もフソトで５が最もハードとして数値分けしていることから、その中間点は２．５であり、中間よりもハードに近い特質を有していることが判明すると共に、視覚的に見てハード的な特質を一定程度有することが把握できる。
質感に関しては、その数値は３であり、中間よりややハイグレードな特質を有することが一見して把握できる。
向アイテムに関しては４であり、ほぼ布帛に近い特質を有していることが分かる。
コストに関しては４であり、一定程度高価なものであることが判明する。
なお、本図に示す場合のコストに関しては、例えば糸代及び工賃としてコストを表している。
ボリュームに関しては３であり、中間の厚さよりもやや厚めであることが一見して把握できる。
【００１９】
以上のように、この編物の特質が一見して把握でき、本見本帳  １を見開きとし、左右の台紙  ２と共に一の台紙  ２上に複数配設することにより、見開きで複数の編地見本を比較検討することが可能となる。
更に本図においては、該編物の特質から最も向いていると思われる用途例を明示してあり、本編地見本  ３に関しては男性用又は女性用のブルゾン類や男性用又は女性用のセーター類に良く使われることが分かるように明示している。
尚、本覆部  ４の上部には『２／４８  アクリル７０％  ウール３０％  ７Ｇ  総針  ４本取』の明示がなされており、本編物の編み状態が把握できるようにしてある。
即ち４８番双子の糸を用いており、材質はアクリル７０％  ウール３０％であって、ゲージの目が７Ｇであり、総針で４本取にて編んであることが判明する。
従って、どのような糸でどのように編んだかが一見して把握できる。
本見本帳  １は襟部分の横付属のための編地見本であり、使用する衣服類に応じた最適な横付属の編物を選別するには最適な方法を用いた見本帳である。
【００２０】
従って本編地についてのみではなく各種色々な種類の糸を用いて各種ゲージで各種の編み方で編んだ多数の種類の異なる編地を明示し、これらの中から要求する特質を有する編地即ち編物を選別特定することが可能である。
尚、本見本帳  １の覆部  ４はその一辺で台紙  ２と連設されており、覆部  ４の覆いを開くことができ、実際の編地見本  ３を触ることも可能である。
尚、本図は台紙  ２上の一の編地見本  ３しか図示していないが、これ以外に多くの頁を有しているものであり、この見本帳により多数の編物の見本の検討を可能とする。
又、本見本帳の台紙  ２には覆部  ４を設けているが、この覆部  ４を用いず、そのまま台紙  ２に編物等の見本を貼着し、台紙  ２自体に該編物の特質を数値化した数値を明示したものであってもよい。
又、本図は横付属のための編地の見本帳であるがこれに限らず、各種編地の見本帳即ち身生地の見本帳であっても或いは丸編みの見本帳等であってもよいのはもちろんである。
【００２１】
更にはこの編物に限らず各種織物の見本帳即ち織地見本帳に用いたものであってもよい。
この他、本図では台紙  ２に略正五角形の透明フィルム  ５を用いた一例を示すが、例えばこれを三角形として少なくとも３種類の特質を用いたものとしても、或いは多角形状として当該多角形の数の特質を明示したものであっても或いは円形の透明フィルムを用いたものであってもよい。
更に本図においては透明フィルム  ５内に表を明示したものであるが、この他透明フィルム  ５以外の箇所に表を設けたものであっても或いは各特質と数値乃至ランク分けを明示したものであってもよいのはもちろんである。
また、透明フィルムを用いない見本帳  １であってもよい。
次に図２は複数の編地見本  ３を見開き上の左右の頁にそれぞれ２つずつ設けた一実施の状態を示す図である。
この様に明示することにより、一度に多数の編物を対比する事ができる。
なお、本図は多くの頁を有するものであっても、或いは更なる見開き頁を有するものであってもいずれでもよい。
【００２２】
図３は、本見本帳  １の台紙  ２に連設した覆部  ４を開いた状態を示す図である。
この様に構成することにより、台紙  ２上の編地見本  ３を直接触ってその感触や色具合或いは視覚や触覚等にて知覚できる特性を現物として把握できる。
次に図４は、織物や編物の選別特定のための区分け方法を用いた編物の受注方法の一例を示す図であり、まず発注希望者端末  ６と、受注ウェブサイト  ７と、工場端末  ８と、横編編成機  ９と、横編機１０と、データベース１１とからなる。
まず、発注者側においては例えば図１にて示した編地見本帳  １を予め配布しておく。
これにより、受注者は自己の要求する編物の特質から一の編物を選別特定する。
この後、受注者は、該特定した一の編物の例えばコード番号等を用いて、発注希望者端末  ６により通信回線等を介して受注ウェブサイト  ７に受注依頼の送信を行う。
この受注依頼を受信した受注ウェブサイト  ７では、例えばこの情報をデータベース  １１ａ内等に格納し、今後の顧客或いは商品動向情報として保管する。
【００２３】
更に、例えばデータベース  １１ａ内より過去のデータを抽出し、今回の受注の内容との比較検討をすることもできる。
次に受注ウェブサイト  ７が受信した受注依頼は、それ依頼に基づいて工場発注データとして編纂し、これを工場端末  ８に送信し、工場への発注を行う。
受信した工場端末  ８においては、この情報をデータベース  １１ｂ内に格納し、更に受注データから必要な横編みに必要なデータに変換し、このデータを横編編成機  ９に送信又は入力する。
この横編編成機  ９は変換データに基づいて、要求される横編みの具体的構成を特定し、この横編みのための糸の特定や編み方等の特定などを行い、これをデータとして取り纏める。
この取り纏めたデータを用いて横編機１０を作動させ、受注された横編みを編み上げる。
以上の方法を採ることにより、受注の容易化が図れるばかりでなく、受注と全く同じ受注品の製造を可能とする。
尚、本受注方法は、横編みを前提として明示しているが、これに限らず丸編みに用いたものであってもよいと共に、織物の受注に本方法を用いたものであってもよい。
【００２４】
【発明の効果】
１、本発明に係る編物の区分け方法により、編物の選別特定に際して発注者側の真に希望する編物の特定選別を確実かつ簡単に行え、特に編物の形式的事項からでは判明しない編物特有の特質を一見して把握でき、多数の編物の中から他の編物と比較しつつ真に希望する編物の受注を可能とし、更に効率よく選別特定できるという第一の効果を有する。
この事は受注側においても従来の各種編物見本を発注側に順次提供し、希望の編物の選別までに多数の返品を受けていた繁雑な手続きを防止でき、効率よく編物の提供を可能とするという反射的効果を有する。
２、次に本発明に係る編地の見本帳により、見本帳に貼付又は明示されている多数の編物の特質を極めて容易に把握でき、発注者側の要求する編物の選別特定を確実にかつ簡単に行える見本帳の提供を可能とするという第二の効果を有する。
【００２５】
３、更に本発明に係る編物の受注方法により、発注者及び受注者間の注文を確実かつ簡単に行うことができ、更には受注者から工場への効率よく確実な依頼を行えると共に更に具体的な編みに関しても簡単かつ確実に希望の編みを行える一連の受注方法の提供が行える。
従って、発注から製品完成まで極めて効率よくかつ正確に進行でき、発注側の真に意に則した編物の提供を行える受注方法の提供が行えるという第三の効果を有する。
４、この他、従来織物の区分け方法は、形式的事項の区分けを行い、これを元に織物の選別特定を行っていたが、本発明に係る織物の区分け方法によって、単なる形式的な事項のみからではなく、織り込んだ状態の織物自体の特質を用いて区分けすることを可能とし、真に製品として用いる場合の特質を考慮した織物の選別特定を可能とするという第四の効果を有する。
更に本発明に係る織地の見本帳を用いることにより、この織物自体の特質を把握できると共に比較可能な見本帳の提供が行える。
【図面の簡単な説明】
【図１】本発明の一実施の状態を示す図
【図２】本発明の一実施の状態を示す図
【図３】本発明に係る編地の見本帳の覆部を開いて編地を表出させた状態を示す図
【図４】編物の受注方法の一例を示す図
【符号の説明】
１    見本帳
２    台紙
３    編地見本
４    覆部
５    透明フィルム
６    発注希望者端末
７    受注ウェブサイト
８    工場端末
９    横編編成機
１０    横編機
１１    データベース
【図１】
2004360096.tif 000003
【図２】
2004360096.tif 000004
【図３】
2004360096.tif 000005
【図４】
2004360096.tif 000006